(57)【要約】  【課題】  夫々に対応する記録媒体を扱う複数のデータ処理部を備えながら消費電力を削減することができるデータ処理装置を提供する。  【解決手段】  ＨＤドライブ部１７、ＢＤドライブ部１８及びＤＶＤドライブ部１９の複数のドライブ部（データ処理部）を備える録画装置（データ処理装置）は、始動する際に、複数のドライブ部の内、光ディスク等の記録媒体を受け入れているドライブ部を起動する。また他の方法として、使用者が指定したドライブ部を起動するか、又は使用頻度が高いドライブ部を起動する等、録画装置の始動時に起動するドライブ部を選択することによって、録画装置の消費電力を削減する。【選択図】        図３
2006164334.tif 000002
【特許請求の範囲】
【請求項１】
夫々に対応する記録媒体にアクセスしてデータ処理を行う複数のデータ処理部を備えるデータ処理装置において、
前記複数のデータ処理部の内の一又は複数のデータ処理部は、着脱可能な記録媒体を受け入れる受入手段を有し、
停止状態から始動する場合に、前記複数のデータ処理部を起動する手段と、
前記受入手段が記録媒体を受け入れているか否かを判定する手段と、
該手段により記録媒体を受け入れていないと判定された前記受入手段を有しているデータ処理部を停止する手段と
を備えることを特徴とするデータ処理装置。
【請求項２】
起動した前記複数のデータ処理部の夫々が起動していることを示す起動表示を表示する表示手段と、
停止したデータ処理部に係る前記起動表示を前記表示手段が表示することを停止する手段と
を更に備えることを特徴とする請求項１に記載のデータ処理装置。
【請求項３】
夫々に対応する記録媒体にアクセスしてデータ処理を行う複数のデータ処理部を備えるデータ処理装置において、
前記複数のデータ処理部の内の一又は複数のデータ処理部は、着脱可能な記録媒体を受け入れる受入手段を有し、
前記受入手段が記録媒体を受け入れているか否かを示す情報を記憶する記憶手段と、
停止状態から始動する場合に、前記記憶手段が記憶している前記情報を読み出す手段と、
該手段が読み出した前記情報に基づいて、前記受入手段が記録媒体を受け入れているか否かを判定する手段と、
該手段により記録媒体を受け入れていると判定された前記受入手段を有しているデータ処理部を起動する手段と
を備えることを特徴とするデータ処理装置。
【請求項４】
夫々に対応する記録媒体にアクセスしてデータ処理を行う複数のデータ処理部を備えるデータ処理装置において、
停止状態から始動する場合に、前記複数のデータ処理部の内の起動すべきデータ処理部を示す情報を受け付ける手段と、
該手段が受け付けた前記情報が示すデータ処理部を起動する手段と
を備えることを特徴とするデータ処理装置。
【請求項５】
夫々に対応する記録媒体にアクセスしてデータ処理を行う複数のデータ処理部を備えるデータ処理装置において、
停止状態から始動する場合に、前記複数のデータ処理部の夫々を起動する順番を示す情報を受け付ける手段と、
該手段が受け付けた前記情報が示す順番で前記複数のデータ処理部の夫々を起動する手段と
を備えることを特徴とするデータ処理装置。
【請求項６】
夫々に対応する記録媒体にアクセスしてデータ処理を行う複数のデータ処理部を備えるデータ処理装置において、
前記複数のデータ処理部の内の始動時に起動すべきデータ処理部を示す情報を受け付ける手段と、
該手段が受け付けた前記情報を記憶する記憶手段と、
停止状態から始動する場合に、前記記憶手段が記憶する前記情報を読み出す手段と、
該手段が読み出した前記情報が示すデータ処理部を起動する手段と
を備えることを特徴とするデータ処理装置。
【請求項７】
夫々に対応する記録媒体にアクセスしてデータ処理を行う複数のデータ処理部を備えるデータ処理装置において、
前記複数のデータ処理部の夫々を始動時に起動する順番を示す情報を受け付ける手段と、
該手段が受け付けた前記情報を記憶する記憶手段と、
停止状態から始動する場合に、前記記憶手段が記憶する前記情報を読み出す手段と、
該手段が読み出した前記情報が示す順番で前記複数のデータ処理部の夫々を起動する手段と
を備えることを特徴とするデータ処理装置。
【請求項８】
夫々に対応する記録媒体にアクセスしてデータ処理を行う複数のデータ処理部を備えるデータ処理装置において、
前記複数のデータ処理部の夫々が所定期間の間に動作した頻度を示す情報を記憶する記憶手段と、
停止状態から始動する場合に、前記記憶手段が記憶する前記情報を読み出す手段と、
該手段が読み出した前記情報が示す前記頻度に応じて選択したデータ処理部を起動する起動手段と
を備えることを特徴とするデータ処理装置。
【請求項９】
前記起動手段は、前記情報が示す前記頻度が最大であるデータ処理部を起動する手段を有することを特徴とする請求項８に記載のデータ処理装置。
【請求項１０】
夫々に対応する記録媒体にアクセスしてデータ処理を行う複数のデータ処理部を備えるデータ処理装置において、
前記複数のデータ処理部の内、最後に動作したデータ処理部を示す情報を記憶する記憶手段と、
停止状態から始動する場合に、前記記憶手段が記憶する前記情報を読み出す手段と、
該手段が読み出した前記情報が示すデータ処理部を起動する手段と
を備えることを特徴とするデータ処理装置。
【請求項１１】
起動したデータ処理部が起動していることを表示する表示手段を更に備えることを特徴とする請求項３乃至１０のいずれか一つに記載のデータ処理装置。
【請求項１２】
ハードディスクにアクセスしてデータ処理を行うＨＤデータ処理部と、対応する着脱可能な記録媒体にアクセスしてデータ処理を行う一又は複数のデータ処理部とを備えるデータ処理装置において、
停止状態から始動する場合に、前記ＨＤデータ処理部を起動する手段と、
データ処理部が行うデータ処理の開始指示を受け付ける手段と、
該手段が前記開始指示を受け付けた場合に、受け付けた前記開始指示に対応するデータ処理を行うデータ処理部を起動する手段と
を備えることを特徴とするデータ処理装置。
【請求項１３】
起動した前記ＨＤデータ処理部が起動していること、及び起動したデータ処理部が起動していることを表示する表示手段を更に備えることを特徴とする請求項１２に記載のデータ処理装置。
【請求項１４】
少なくとも一つの前記データ処理部に対応する記録媒体は、片面の記録容量が８．６ギガバイト以上の光ディスクであることを特徴とする請求項１乃至１３のいずれか一つに記載のデータ処理装置。
【発明の詳細な説明】
【技術分野】
【０００１】
本発明は、ハードディスク又は光ディスク等、対応する記録媒体に対して情報の記録又は読み出しを行う複数のデータ処理部を備えるデータ処理装置に関する。
【背景技術】
【０００２】
従来、記録媒体として磁気テープを用い、テレビジョン番組の記録及び再生を行う録画装置が普及している。近年では、画質の向上又は録画時間の長時間化等の録画装置の能力の向上を図るために、記録媒体としてＤＶＤ等の光ディスク又はハードディスクを記録媒体として用いた録画装置が実用化されている。またこれら複数種類の記録媒体を同時に使用可能な録画装置も開発されている。
【０００３】
例えば特許文献１には、録画装置が着脱可能な記録媒体とハードディスクとを備え、記録媒体へ番組の記録を行い、記録媒体の空き容量が減少するにつれてハードディスクへ番組の記録先を切り替えることによって、番組を完全に記録できるようにした技術が公開されている。また特許文献２には、夫々に光ディスクを収納することができる２つのディスクトレイを録画装置に具備し、収納した２枚の光ディスクに対し同時的に記録及び再生を行うことができる技術が開示されている。
【０００４】
一方、従来に比べて記録容量を増大させた光ディスクとして、ブルーレイディスク（Blue-ray Disc：登録商標）及びＨＤ  ＤＶＤ（High Definition ＤＶＤ）が発表されている。以下、ブルーレイディスクをＢＤと言う。ＢＤの場合は片面単層の記録容量は２３．３ギガバイト（ＧＢ）、２５ＧＢ、２７ＧＢの３種類が規格化されており、ＨＤ  ＤＶＤの場合は片面単層の記録容量が１５ＧＢであるものが発表されており、２０ＧＢの仕様も検討されている。これらの光ディスクの記録容量は、片面２層記録での記録容量が８．５ＧＢであるＤＶＤの記録容量を凌駕しており、ＢＤでは２時間に及ぶデジタルハイビジョン放送の番組を１枚のディスクに記録することができる。これらの光ディスクを使用する録画装置は、情報の記録及び再生を行うために波長が４００ｎｍ帯の青色光を用いる構成となっている。特許文献３には、青色光を用いて光ディスクに対して情報の記録又は読み出しを行うための技術が開示されている。また特許文献４には、複数の波長の光を用いることによって、ＣＤ、ＤＶＤ及びＢＤ等の複数種類の光ディスクに対して情報の記録又は読み出しを可能とする技術が開示されている。
【特許文献１】特開２００２−７４８３９号公報
【特許文献２】特開２００３−２８８７７１号公報
【特許文献３】特開２００４−１９２８０１号公報
【特許文献４】特開２００４−１０３１３５号公報
【発明の開示】
【発明が解決しようとする課題】
【０００５】
複数種類の記録媒体を同時に使用可能な録画装置では、夫々に対応する記録媒体に対して情報の記録又は読み出しを行う複数のデータ処理部を備えている。例えばＤＶＤ及びハードディスクを同時利用できる録画装置でハードディスクからＤＶＤへダビングを行う場合等、複数のデータ処理部を同時に使用する場合もあるが、ＤＶＤの視聴等の通常の使用状況では、単一のデータ処理部を使用する場合が多い。しかし従来の録画装置では、始動時に複数のデータ処理部全てが起動するので、消費電力が大きいという問題がある。またデータ処理部は起動時にディスクチェック等のチェック処理を夫々に行うので、始動時に録画装置を使用できるまでに要する時間が長いという問題がある。
【０００６】
本発明は、斯かる事情に鑑みてなされたものであって、その目的とするところは、複数のデータ処理部を備えながら消費電力を削減することができるデータ処理装置を提供することにある。
【０００７】
また本発明の他の目的とするところは、複数のデータ処理部を備えながら始動時に録画装置を使用できるまでに要する時間を短縮することができるデータ処理装置を提供することにある。
【課題を解決するための手段】
【０００８】
本発明に係るデータ処理装置は、夫々に対応する記録媒体にアクセスしてデータ処理を行う複数のデータ処理部を備えるデータ処理装置において、前記複数のデータ処理部の内の一又は複数のデータ処理部は、着脱可能な記録媒体を受け入れる受入手段を有し、停止状態から始動する場合に、前記複数のデータ処理部を起動する手段と、前記受入手段が記録媒体を受け入れているか否かを判定する手段と、該手段により記録媒体を受け入れていないと判定された前記受入手段を有しているデータ処理部を停止する手段とを備えることを特徴とする。
【０００９】
本発明においては、光ディスク等の着脱可能な記録媒体にアクセスしてデータ処理を行う一又は複数のデータ処理部を備えたデータ処理装置が始動する場合に、各データ処理部を一旦起動させ、記録媒体の有無を検出し、記録媒体を受け付けていないデータ処理部は停止させる。この結果、内部に記録媒体を受け入れているデータ処理部のみが起動されることとなる。
【００１０】
本発明に係るデータ処理装置は、起動した前記複数のデータ処理部の夫々が起動していることを示す起動表示を表示する表示手段と、停止したデータ処理部に係る前記起動表示を前記表示手段が表示することを停止する手段とを更に備えることを特徴とする。
【００１１】
また本発明においては、起動したデータ処理部が起動していることを示す起動表示を表示し、記録媒体を受け付けていないデータ処理部を停止した後は、停止したデータ処理部に係る起動表示の表示を停止する。
【００１２】
本発明に係るデータ処理装置は、夫々に対応する記録媒体にアクセスしてデータ処理を行う複数のデータ処理部を備えるデータ処理装置において、前記複数のデータ処理部の内の一又は複数のデータ処理部は、着脱可能な記録媒体を受け入れる受入手段を有し、前記受入手段が記録媒体を受け入れているか否かを示す情報を記憶する記憶手段と、停止状態から始動する場合に、前記記憶手段が記憶している前記情報を読み出す手段と、該手段が読み出した前記情報に基づいて、前記受入手段が記録媒体を受け入れているか否かを判定する手段と、該手段により記録媒体を受け入れていると判定された前記受入手段を有しているデータ処理部を起動する手段とを備えることを特徴とする。
【００１３】
本発明においては、光ディスク等の着脱可能な記録媒体にアクセスしてデータ処理を行う一又は複数のデータ処理部を備えたデータ処理装置は、各データ処理部での記録媒体の有無を示す情報を動作中に予め記憶しておき、データ処理装置が始動する場合に、記憶している情報に基づいて、記録媒体を受け付けているデータ処理部のみを起動する。
【００１４】
本発明に係るデータ処理装置は、夫々に対応する記録媒体にアクセスしてデータ処理を行う複数のデータ処理部を備えるデータ処理装置において、停止状態から始動する場合に、前記複数のデータ処理部の内の起動すべきデータ処理部を示す情報を受け付ける手段と、該手段が受け付けた前記情報が示すデータ処理部を起動する手段とを備えることを特徴とする。
【００１５】
本発明においては、複数のデータ処理部を備えたデータ処理装置の始動時に、起動すべきデータ処理部の指定を使用者から受け付け、指定されたデータ処理部のみを起動する。
【００１６】
本発明に係るデータ処理装置は、夫々に対応する記録媒体にアクセスしてデータ処理を行う複数のデータ処理部を備えるデータ処理装置において、停止状態から始動する場合に、前記複数のデータ処理部の夫々を起動する順番を示す情報を受け付ける手段と、該手段が受け付けた前記情報が示す順番で前記複数のデータ処理部の夫々を起動する手段とを備えることを特徴とする。
【００１７】
本発明においては、複数のデータ処理部を備えたデータ処理装置の始動時に、各データ処理部を起動する順番の指定を使用者から受け付け、指定された順番で各データ処理部を起動する。
【００１８】
本発明に係るデータ処理装置は、夫々に対応する記録媒体にアクセスしてデータ処理を行う複数のデータ処理部を備えるデータ処理装置において、前記複数のデータ処理部の内の始動時に起動すべきデータ処理部を示す情報を受け付ける手段と、該手段が受け付けた前記情報を記憶する記憶手段と、停止状態から始動する場合に、前記記憶手段が記憶する前記情報を読み出す手段と、該手段が読み出した前記情報が示すデータ処理部を起動する手段とを備えることを特徴とする。
【００１９】
本発明においては、複数のデータ処理部を備えたデータ処理装置は、始動時に起動すべきデータ処理部の指定を使用者から予め受け付け、指定されたデータ処理部を示す情報を記憶しておき、始動時には記憶している情報が示すデータ処理部を起動する。
【００２０】
本発明に係るデータ処理装置は、夫々に対応する記録媒体にアクセスしてデータ処理を行う複数のデータ処理部を備えるデータ処理装置において、前記複数のデータ処理部の夫々を始動時に起動する順番を示す情報を受け付ける手段と、該手段が受け付けた前記情報を記憶する記憶手段と、停止状態から始動する場合に、前記記憶手段が記憶する前記情報を読み出す手段と、該手段が読み出した前記情報が示す順番で前記複数のデータ処理部の夫々を起動する手段とを備えることを特徴とする。
【００２１】
本発明においては、複数のデータ処理部を備えたデータ処理装置は、各データ処理部を始動時に起動する順番の指定を使用者から予め受け付け、指定された順番を示す情報を記憶しておき、始動時には記憶している情報が示す順番で各データ処理部を起動する。
【００２２】
本発明に係るデータ処理装置は、夫々に対応する記録媒体にアクセスしてデータ処理を行う複数のデータ処理部を備えるデータ処理装置において、前記複数のデータ処理部の夫々が所定期間の間に動作した頻度を示す情報を記憶する記憶手段と、停止状態から始動する場合に、前記記憶手段が記憶する前記情報を読み出す手段と、該手段が読み出した前記情報が示す前記頻度に応じて選択したデータ処理部を起動する起動手段とを備えることを特徴とする。
【００２３】
本発明においては、複数のデータ処理部を備えたデータ処理装置は、所定期間内における各データ処理部の使用頻度を記憶しておき、始動時には使用頻度に応じて選択したデータ処理部を選択して起動する。
【００２４】
本発明に係るデータ処理装置は、前記起動手段は、前記情報が示す前記頻度が最大であるデータ処理部を起動する手段を有することを特徴とする。
【００２５】
また本発明においては、データ処理装置は、始動時に、使用頻度が最大であるデータ処理部を起動する。
【００２６】
本発明に係るデータ処理装置は、夫々に対応する記録媒体にアクセスしてデータ処理を行う複数のデータ処理部を備えるデータ処理装置において、前記複数のデータ処理部の内、最後に動作したデータ処理部を示す情報を記憶する記憶手段と、停止状態から始動する場合に、前記記憶手段が記憶する前記情報を読み出す手段と、該手段が読み出した前記情報が示すデータ処理部を起動する手段とを備えることを特徴とする。
【００２７】
本発明においては、複数のデータ処理部を備えたデータ処理装置は、最後に動作したデータ処理部を示す情報を記憶しておき、始動時には最後に動作したデータ処理部を起動する。
【００２８】
本発明に係るデータ処理装置は、起動したデータ処理部が起動していることを表示する表示手段を更に備えることを特徴とする。
【００２９】
また本発明においては、起動したデータ処理部が起動していることを表示手段で表示する。
【００３０】
本発明に係るデータ処理装置は、ハードディスクにアクセスしてデータ処理を行うＨＤデータ処理部と、対応する着脱可能な記録媒体にアクセスしてデータ処理を行う一又は複数のデータ処理部とを備えるデータ処理装置において、停止状態から始動する場合に、前記ＨＤデータ処理部を起動する手段と、データ処理部が行うデータ処理の開始指示を受け付ける手段と、該手段が前記開始指示を受け付けた場合に、受け付けた前記開始指示に対応するデータ処理を行うデータ処理部を起動する手段とを備えることを特徴とする。
【００３１】
本発明においては、ハードディスクにアクセスしてデータ処理を行うＨＤデータ処理部と、光ディスク等の着脱可能な記録媒体にアクセスしてデータ処理を行うデータ処理部とを備えるデータ処理装置は、始動時にＨＤデータ処理部を優先的に起動し、ハードディスクから光ディスクへのダビング等のデータ処理部が必要なデータ処理の開始指示を受け付けた場合にデータ処理部を起動する。
【００３２】
本発明に係るデータ処理装置は、起動した前記ＨＤデータ処理部が起動していること、及び起動したデータ処理部が起動していることを表示する表示手段を更に備えることを特徴とする。
【００３３】
また本発明においては、起動したＨＤデータ処理部及び起動したデータ処理部が起動していることを表示手段で表示する。
【００３４】
本発明に係るデータ処理装置は、少なくとも一つの前記データ処理部に対応する記録媒体は、片面の記録容量が８．６ギガバイト以上の光ディスクであることを特徴とする。
【００３５】
また本発明においては、データ処理装置は、記録媒体としてＢＤ等の片面の記録容量が８．６ギガバイト以上である光ディスクに対応したデータ処理部を備える。
【発明の効果】
【００３６】
本発明にあっては、テレビジョン番組の録画又は再生等をデータ処理装置で行うためには、記録媒体が必要であり、光ディスク等の着脱可能な記録媒体を受け入れていないデータ処理部は当面利用できないので、始動後に当面利用できないデータ処理部を停止することにより、データ処理装置の消費電力を削減することができる。
【００３７】
本発明にあっては、データ処理装置の始動時に、データ処理装置が記憶している情報に基づいて、各データ処理部を一旦起動させることなく光ディスク等の記録媒体の有無を検出することができるので、データ処理装置の消費電力を削減することができる。また不必要なデータ処理部の起動に必要な時間を省略することができるので、始動時にデータ処理装置が使用可能になるまでに要する時間を短縮することが可能となる。
【００３８】
本発明にあっては、データ処理装置の始動時に、使用者が指定したデータ処理部を起動することにより、使用者が必要とするデータ処理部のみを起動するので、データ処理装置の消費電力を削減することができる。また不必要なデータ処理部を起動させないので、始動時にデータ処理装置が使用可能になるまでに要する時間を短縮することが可能となる。
【００３９】
本発明にあっては、データ処理装置の始動時に、使用者が当面必要とするデータ処理部が最初に起動するようにデータ処理部の起動順を指定することにより、全てのデータ処理部が起動する前に必要なデータ処理部が使用可能になるので、始動時にデータ処理装置が使用可能になるまでに要する時間を短縮することが可能となる。
【００４０】
本発明にあっては、データ処理装置の始動時に、予め使用者が指定しておいたデータ処理部のみを起動するので、データ処理装置の消費電力を削減することができる。また使用者の指定を始動時に受け付けることなく、予め指定されているデータ処理部を起動させるので、始動時にデータ処理装置が使用可能になるまでに要する時間をより短縮することが可能となる。
【００４１】
本発明にあっては、データ処理装置の始動時に、使用者が当面必要とするデータ処理部が最初に起動するように予め使用者が指定しておいた順にデータ処理部を起動することにより、全てのデータ処理部が起動する前に必要なデータ処理部が使用可能になるので、始動時にデータ処理装置が使用可能になるまでに要する時間を短縮することが可能となる。
【００４２】
本発明にあっては、データ処理装置の始動時に、過去の使用頻度が最大であるデータ処理部を起動させる等、過去の使用頻度に応じて選択したデータ処理部を起動することにより、過去の使用頻度が高いデータ処理部は次に使用者がデータ処理装置を使用する際にも使用される可能性が高いので、始動時にデータ処理装置が使用可能になるまでに要する時間を短縮することができる。また使用される可能性が高いデータ処理部のみを起動させるので、データ処理装置の消費電力を削減することができる。
【００４３】
本発明にあっては、データ処理装置内で最後に動作したデータ処理部は、内容を途中まで再生した光ディスクを内部に収納してある等、次に使用者がデータ処理装置を使用する際に最初に使用される可能性が高いので、データ処理装置の始動時に、最後に動作したデータ処理部を起動することにより、始動時にデータ処理装置が使用可能になるまでに要する時間を短縮することができる。また使用される可能性が高いデータ処理部のみを起動させるので、データ処理装置の消費電力を削減することができる。
【００４４】
本発明にあっては、ハードディスクに対して情報の記録又は読み出しを行うデータ処理部は、長時間のテレビジョン番組をとりあえず録画する場合には最も利用しやすいデータ処理部であるので、データ処理装置の始動時に、ハードディスクを用いるデータ処理部を優先的に起動することにより、始動時にデータ処理装置が使用可能になるまでに要する時間を短縮することができる。また起動指示を受け付けない限り他のデータ処理部を起動しないので、データ処理装置の消費電力を削減することができる。
【００４５】
また本発明にあっては、データ処理装置が備えるデータ処理部の内、起動したデータ処理部が起動していることを表示手段で表示するので、使用者は、いずれのデータ処理部が起動しているかを容易に確認することができる。
【００４６】
更に本発明にあっては、記録容量が８．６ギガバイト以上である大容量の光ディスクを記録媒体として用いることによって、高画質の番組を長時間にわたって記録することが可能となる等、本発明は優れた効果を奏する。
【発明を実施するための最良の形態】
【００４７】
以下本発明をその実施の形態を示す図面に基づき具体的に説明する。
（実施の形態１）
図１は、本発明のデータ処理装置である録画装置１を示す斜視図である。録画装置１は、本発明に係るデータ処理部として、記録媒体であるハードディスクを内蔵したＨＤドライブ部、ＢＤ（ブルーレイディスク）を記録媒体として使用可能なＢＤドライブ部、及びＤＶＤを記録媒体として使用可能なＤＶＤドライブ部を備えている。また録画装置１は、テレビジョンの地上デジタル放送、ＢＳ・１１０度ＣＳデジタル放送、及び地上アナログ放送等を受信する複数のチューナ部を内蔵し、各チューナ部が受信した放送内容を示すデータを各記録媒体に記録できるようにしている。なおＤＶＤドライブ部は、ＤＶＤ−ＲＷ、ＤＶＤ＋ＲＷ、ＤＶＤ−Ｒ、ＤＶＤ＋Ｒ、ＤＶＤ−ＲＡＭ、ＤＶＤビデオ、音楽用ＣＤ、ＣＤ−Ｒ、ＣＤ−ＲＷ、及びビデオＣＤ等の複数フォーマットの光ディスクを使用可能であり、これらのＤＶＤドライブ部が使用可能な光ディスクを総称して、以下「ＤＶＤ」と称す。
【００４８】
録画装置１は、高さ方向の厚みが薄い直方体状の筐体２を有し、筐体２の前面側の中央部分には開閉式のパネル部３を設けており、パネル部３の表面には、ＤＶＤに対する処理状態を示すリング状の第１表示部４、様々な処理状況を表示する円形の液晶表示部５、及びＢＤに対する処理状態を示すリング状の第２表示部６を設けている。第１表示部４は、ランプの点灯の有無又は点灯色等により、ＤＶＤドライブ部が起動していることを示す起動表示等の情報を表示する。また第２表示部６は、同様にしてＢＤドライブ部が起動していることを示す起動表示等の情報を表示する。また液晶表示部５は、ＨＤドライブ部が起動していること、及び録画装置１が行っている処理内容等を示す情報を表示する。第１表示部４、液晶表示部５、及び第２表示部６は、本発明に係る表示手段である。
【００４９】
また、録画装置１は、筐体２の前面２ａの一端部分（図中では左端）に電源ボタン８ａを配置し、他端部分（図中では右側）にパネル部３の開放ボタン８ｂとリモコン受光部７とを設けている。
【００５０】
図２は、パネル部３を開放した録画装置１を示す斜視図である。パネル部３の内面、及びパネル部３の開放により露出する筐体２の前面には、各種のスイッチ及びボタンを有し、使用者の操作を受け付ける操作部８が設けられている。またパネル部３の開放により露出する筐体２の前面には、ＢＤを受け入れるためのＢＤ用開口部２ｃ及びＤＶＤを受け入れるためのＤＶＤ用開口部２ｅが形成されている。ＢＤ用開口部２ｃ及びＤＶＤ用開口部２ｅは、横長矩形状に形成されており、夫々を閉鎖するように開閉可能なシャッタが取り付けられている。
【００５１】
録画装置１は、ＢＤを載置するためのＢＤ用トレイ１１を筐体２の内部に格納しており、操作部８又はリモコン受光部７で所定の指示を受け付けることにより、ＢＤ用トレイ１１をＢＤ用開口部２ｃから外部へ押し出す構成となっている。ＢＤはカートリッジ内に光ディスクが収納された形態になっており、ＢＤ用トレイ１１の上面はＢＤを載置できる形状になっている。ＢＤ用トレイ１１がＢＤを載置した状態で操作部８又はリモコン受光部７が所定の指示を受け付けた場合に、ＢＤ用トレイ１１は筐体２の内部へ引き込まれる。ＢＤ用トレイ１１に載置されて筐体２の内部へ収納されたＢＤは、カートリッジ内の光ディスクがＢＤ用のモータ部１４で駆動回転されると共に、ＢＤ用ピックアップ部１３から発せられる青色光で照射される。
【００５２】
ＤＶＤを載置するためのＤＶＤ用トレイ１２は、上述したＢＤ用トレイ１１と同様に通常は筐体２の内部に格納されており、操作部８又はリモコン受光部７が所定の指示を受け付けた場合に、ＤＶＤ用開口部２ｅから外部へ押し出される構成となっている。ＤＶＤ用トレイ１２は、上面がＤＶＤを載置できる形状になっており、ＤＶＤを載置した状態で操作部８又はリモコン受光部７が所定の指示を受け付けた場合に、ＤＶＤ用トレイ１２は筐体２の内部へ引き込まれる。ＤＶＤ用トレイ１２に載置されて筐体２の内部へ収納されたＤＶＤは、カートリッジ内の光ディスクがＤＶＤ用のモータ部１６で駆動回転されると共に、ＤＶＤ用ピックアップ部１５から発せられるレーザ光で照射される。また録画装置１は、筐体２の内部にＨＤドライブ部１７を備えている。
【００５３】
図３は、実施の形態１に係る録画装置１の主要な内部構成を示すブロック図である。録画装置１は、録画装置１全体の動作を制御する制御部２０を備えている。制御部２０には、画像及び音声に係るデータの処理及び伝送を行う画像／音声信号処理部２６が接続されている。画像／音声信号処理部２６には、各種放送を受信するための地上デジタルチューナ部２１、ＢＳ・１１０度ＣＳデジタルチューナ部２２、及びＶＨＦ／ＵＨＦチューナ部２３が接続されている。
【００５４】
地上デジタルチューナ部２１は地上デジタル放送のデータを受信し、ＢＳ・１１０度ＣＳデジタルチューナ部２２はＢＳデジタル放送及び１１０度ＣＳデジタル放送のデータを受信し、各デジタルチューナ部２１、２２は受信したデータを画像／音声信号処理部２６へ伝送する。地上デジタル放送、ＢＳデジタル放送、及び１１０度ＣＳデジタル放送にはデジタルハイビジョン放送が含まれており、各デジタルチューナ部２１、２２はデータ量が大きいデジタルハイビジョン放送の受信も行う。ＶＨＦ／ＵＨＦチューナ部２３は、地上アナログ放送のデータを受信し、受信したデータを画像／音声信号処理部２６へ伝送する。また各チューナ部２１、２２、２３は、各放送のコンテンツデータ以外に、電子番組表（ＥＰＧ）データを受信することが可能であり、録画装置１は、受信したＥＰＧデータを利用した番組選択又は番組予約を行うことができる。
【００５５】
また画像／音声信号処理部２６には、外部との間でデータを入出力するためのＩＥＥＥ１３９４端子部９、外部へ画像・音声データを出力する外部出力部２４、外部から入力される画像・音声データを受け付ける外部入力部２５が接続されている。ＩＥＥＥ１３９４端子部９は、ＩＥＥＥ１３９４規格に対応した外部装置との接続用の入出力部であり、制御部２０の制御に従って制御信号及び画像・音声等のデータを接続先の外部装置との間で送受信する。外部出力部２４は、外部へ画像・音声データを出力する映像出力端子、Ｓ映像端子、Ｄ映像端子、音声出力端子、光デジタル端子、ＨＤＭＩ（High-Definition Multimedia Interface：登録商標）端子、及びアンテナ出力端子等を備えている。通常、外部出力部２４には、録画装置１が受信した放送内容及び再生する内容等に係る画像及び音声を出力する装置に相当するテレビジョン装置が接続される。外部入力部２５は、外部から各種データを受け付けるものであり、映像入力端子、Ｓ映像入力端子、及び音声入力端子等を備えている。
【００５６】
また制御部２０及び画像／音声信号処理部２６には、ＨＤドライブ部１７、ＢＤドライブ部１８、及びＤＶＤドライブ部１９が接続された伝送制御処理部２７が接続されている。伝送制御処理部２７は、制御部２０の制御に従って、データを所用の伝送先へ伝送する処理を行う。例えば伝送制御処理部２７は、各チューナ部２１〜２３が受信したデータを画像／音声信号処理部２６を介して受け付け、受け付けたデータを録画先となる各ドライブ部１７〜１９のいずれかへ伝送する。またダビングを行う場合は、ダビング元のドライブ部からダビング先のドライブ部へデータを伝送する。
【００５７】
ＢＤドライブ部１８は、ＢＤに対してデータの記録及び読み出しを行う本発明に係るデータ処理部である。ＢＤドライブ部１８は、本発明に係る受入部であるＢＤ用トレイ１１、受け入れたＢＤを回転駆動するためのモータ部１４、並びにＢＤの有無検出、ＢＤの空き容量検出、ＢＤへのデータ書込、及びＢＤからのデータ読出等を行うための青色光を発するＢＤ用ピックアップ部１３を有する。またＢＤドライブ部１８は、ＢＤからデータの読み出しを行った場合、読み出したデータを伝送制御処理部２７へ順次伝送する処理を行う。またＢＤドライブ部１８は、ＢＤへデータの書き込みを行う場合は、伝送制御処理部２７から順次送られてくるデータをＢＤ用ピックアップ部１３によりＢＤへ書き込む処理を行う。
【００５８】
ＤＶＤドライブ部１９は、ＤＶＤに対してデータの記録及び／又は読み出しを行う本発明に係るデータ処理部である。ＤＶＤドライブ部１９は、本発明に係る受入部であるＤＶＤ用トレイ１２、受け入れたＤＶＤを回転駆動するためのモータ部１６、並びにＤＶＤの有無検出、ＤＶＤの空き容量検出、ＤＶＤへのデータ書込、及びＢＤからのデータ読出等を行うためのレーザ光を発するＤＶＤ用ピックアップ部１５を有する。またＤＶＤドライブ部１９は、ＤＶＤからデータの読み出しを行った場合、読み出したデータを伝送制御処理部２７へ順次伝送する処理を行う。またＤＶＤドライブ部１９は、ＤＶＤへデータの書き込みを行う場合は、伝送制御処理部２７から順次送られてくるデータをＢＤ用ピックアップ部１３によりＤＶＤへ書き込む処理を行う。
【００５９】
ＨＤドライブ部１７は、記録媒体であるハードディスクＨＤを内蔵しており、ハードディスクＨＤに対してデータの記録及び読み出しを行う本発明に係るデータ処理部である。ＨＤドライブ部１７は、ハードディスクＨＤを回転駆動するためのモータ部、並びにハードディスクＨＤへのデータの書き込み及び読み出しを行うヘッド部を有する。ＨＤドライブ部１７は、ヘッド部でハードディスクＨＤからデータの読み出しを行った場合、読み出したデータを伝送制御処理部２７へ順次伝送する処理を行う。またＨＤドライブ部１７は、ハードディスクＨＤへデータを記録する場合は、伝送制御処理部２７から順次送られてくるデータをヘッド部でハードディスクＨＤへ書き込む処理を行う。
【００６０】
また制御部２０には、外部表示を制御する表示制御部５０が接続されている。表示制御部５０には、第１表示部４、液晶表示部５及び第２表示部６が接続されている。表示制御部５０は、制御部２０の制御に従って、第１表示部４、液晶表示部５及び第２表示部６に所定の情報を表示させる処理を行う。
【００６１】
更に制御部２０には、リモコン受光部７、操作部８、ＲＯＭ３１、ＲＡＭ３２、及びＢ−ｃａｓカード読取部３３が接続されている。リモコン受光部７は、リモコン装置４０からの操作信号に係る赤外光を受光し、受光した内容を制御部２０へ伝送する処理を行う。操作部８は、パネル部３の内面及びパネル部３の開放により露出する筐体２の前面に設けられた各種のスイッチ及びボタンの集合であり、各スイッチ又はボタンが使用者により操作されることにより、各スイッチ又はボタンに割り当てられた操作信号が制御部２０へ伝送される。ＲＯＭ３１には制御部２０用のプログラム、ＯＳＤ用のメニュー画像データ、判断処理用の閾値及び基準値等が予め記録されている。ＲＡＭ３２には制御部２０で処理される内容（データ）等が一時的に記録される。Ｂ−ｃａｓカード読取部３３は、各種デジタル放送の暗号化された放送波の暗号解除用のデータが記憶されているＢ−ｃａｓカードを受け付け、受け付けたＢ−ｃａｓカードの記録内容を読み取り、読み取った内容を制御部２０へ伝送する。
【００６２】
本発明においては、録画装置１は、処理を停止している状態から始動する場合に、ＢＤドライブ部１８及びＤＶＤドライブ部１９の内で光ディスクを受け入れているドライブ部を起動させる処理を行う。図４は、実施の形態１に係る録画装置１が始動時に行う処理の手順を示すフローチャートである。制御部２０は、ＲＯＭ３１が記憶しているプログラムに従って以下の処理を実行する。
【００６３】
使用者が電源ボタン８ａを押下するか、又は使用者が操作するリモコン装置４０から送信された通電開始を指示する信号をリモコン受光部７が受信することにより、録画装置１は、外部の商用電源に接続された図示しない電源部より録画装置１内の各部へ通電を開始する（Ｓ１１）。制御部２０は、ＨＤドライブ部１７、ＢＤドライブ部１８及びＤＶＤドライブ部１９の各ドライブ部を起動させる（Ｓ１２）。制御部２０は、次に、第１表示部４、液晶表示部５、及び第２表示部６に、各ドライブ部が起動していることを示す起動表示を表示させる（Ｓ１３）。
【００６４】
制御部２０は、次に、ＢＤ用ピックアップ部１３及びＤＶＤ用ピックアップ部１５に光ディスクの有無を検出させる（Ｓ１４）。制御部２０は、次に、ＢＤ用ピックアップ部１３及びＤＶＤ用ピックアップ部１５の検出結果に基づいて、光ディスクを受け付けていないドライブ部があるか否かを判定する（Ｓ１５）。ＢＤ用トレイ１１がＢＤを受け入れ、またＤＶＤ用トレイ１２がＤＶＤを受け入れていることによって、ＢＤドライブ部１８及びＤＶＤドライブ部１９が共に光ディスクを受け付けている場合は（Ｓ１５：ＮＯ）、制御部２０は、始動時の処理を終了し、テレビジョン番組の録画等の処理を開始する。
【００６５】
ステップＳ１４で、ＢＤドライブ部１８又はＤＶＤドライブ部１９のいずれか一方又は両方が光ディスクを受け付けていない場合は（Ｓ１５：ＹＥＳ）、制御部２０は、光ディスクを受け入れていないドライブ部を停止させる（Ｓ１６）。制御部２０は、次に、第１表示部４、液晶表示部５、及び第２表示部６が表示している起動表示の内、停止したドライブ部に係る起動表示の表示を停止させ（Ｓ１７）、始動時の処理を終了する。
【００６６】
以上詳述した如く、本実施の形態においては、録画装置１が始動する場合に、各ドライブ部を一旦起動させ、光ディスクの有無を検出し、光ディスクを受け入れていないドライブ部は停止させる。この結果、内部に光ディスクを受け入れているドライブ部のみが起動している状態となる。テレビジョン番組の録画又は再生等を行うためには、記録媒体が必要であり、記録媒体である光ディスクを受け入れていないドライブ部は当面利用できないので、当面利用できないドライブ部を停止することにより、録画装置１の消費電力を削減することができる。また各ドライブ部の起動に応じて、ドライブ部が起動していることを表示するので、使用者は、いずれのドライブ部が起動しているかを容易に確認することができる。
【００６７】
（実施の形態２）
実施の形態２に係る録画装置１は、始動時に光ディスクを受け入れているドライブ部を起動する処理を行う。本実施の形態に係る録画装置１の外観は図１及び図２に示した実施の形態１と同様であり、その説明を省略する。
【００６８】
図５は、実施の形態２に係る録画装置１の主要な内部構成を示すブロック図である。制御部２０には、不揮発性の半導体メモリである状態記憶部（記憶手段）３４が接続されている。状態記憶部３４は、録画装置１の状態を示す情報を記憶する構成となっている。
【００６９】
ＢＤ用トレイ１１がＢＤを受け入れたことをＢＤ用ピックアップ部１３が検出した場合、又はＤＶＤ用トレイ１２がＤＶＤを受け入れたことをＤＶＤ用ピックアップ部１５が検出した場合は、制御部２０は、ＢＤ用トレイ１１がＢＤを受け入れていること又はＤＶＤ用トレイがＤＶＤを受け入れていることを示す情報を状態記憶部３４に記憶させる。またＢＤ用トレイ１１からＢＤが取り出されたことをＢＤ用ピックアップ部１３が検出した場合、又はＤＶＤ用トレイ１２からＤＶＤが取り出されたことをＤＶＤ用ピックアップ部１５が検出した場合は、制御部２０は、ＢＤ用トレイ１１がＢＤを受け入れていないこと又はＤＶＤ用トレイがＤＶＤを受け入れていないことを示す情報を状態記憶部３４に記憶させる。状態記憶部３４は、以上の如き制御部２０に記憶させられた情報を、録画装置１に通電がなされていない状態であっても記憶し続けている。録画装置１のその他の内部構成は実施の形態１と同様であり、対応する部分に同符号を付してその説明を省略する。
【００７０】
図６は、実施の形態２に係る録画装置１が始動時に行う処理の手順を示すフローチャートである。制御部２０は、ＲＯＭ３１が記憶しているプログラムに従って以下の処理を実行する。
【００７１】
使用者が電源ボタン８ａを押下するか、又は使用者が操作するリモコン装置４０から送信された通電開始を指示する信号をリモコン受光部７が受信することにより、録画装置１は、外部の商用電源に接続された図示しない電源部より録画装置１内の各部へ通電を開始する（Ｓ２１）。制御部２０は、まずＨＤドライブ部１７を起動させ（Ｓ２２）、液晶表示部５に、ＨＤドライブ部１７が起動していることを表示させる（Ｓ２３）。
【００７２】
制御部２０は、次に、状態記憶部３４が記憶している情報を状態記憶部３４から読み出す（Ｓ２４）。制御部２０は、次に、読み出した情報に基づいて、ＢＤ用トレイ１１がＢＤを受け入れるか、またはＤＶＤ用トレイ１２がＤＶＤを受け入れていることによって、ＢＤドライブ部１８及びＤＶＤドライブ部１９の各ドライブ部が光ディスクを受け付けているか否かを判定する（Ｓ２５）。制御部２０は、次に、ＢＤドライブ部１８及びＤＶＤドライブ部１９の内、光ディスクを受け付けていると判定されたドライブ部を起動させ（Ｓ２６）、第１表示部４又は第２表示部６に、起動したドライブ部が起動していることを表示させる（Ｓ２７）。以上で制御部２０は始動時の処理を終了し、テレビジョン番組の録画等の処理を開始する。
【００７３】
以上の如く、本実施の形態においては、録画装置１は、各ドライブ部での光ディスクの有無を示す情報を動作中に予め記憶しておき、録画装置１の始動時に、記憶している情報に基づいて、光ディスクを受け付けているドライブ部のみを起動させる。各ドライブ部を一旦起動させることなく光ディスクの有無を検出することができるので、録画装置１の消費電力を削減することができる。また不必要なドライブ部の起動に必要な時間を省略することができるので、始動時に録画装置１が使用可能になるまでに要する時間を短縮することが可能となる。また起動したドライブ部が起動していることを表示するので、使用者は、いずれのドライブ部が起動しているかを容易に確認することができる。
【００７４】
（実施の形態３）
実施の形態３に係る録画装置１は、始動時に使用者に指定されたドライブ部を起動する処理を行う。本実施の形態に係る録画装置１の外観及び内部構成は図１〜図３に示した実施の形態１と同様であり、その説明を省略する。図７は、実施の形態３に係る録画装置１が始動時に行う処理の手順を示すフローチャートである。制御部２０は、ＲＯＭ３１が記憶しているプログラムに従って以下の処理を実行する。
【００７５】
使用者が電源ボタン８ａを押下するか、又は使用者が操作するリモコン装置４０から送信された通電開始を指示する信号をリモコン受光部７が受信することにより、録画装置１は、外部の商用電源に接続された図示しない電源部より録画装置１内の各部へ通電を開始する（Ｓ３１）。制御部２０は、次に、ＨＤドライブ部１７、ＢＤドライブ部１８及びＤＶＤドライブ部１９の内、起動するドライブ部の指定を使用者から受け付けるために必要な指定画面を示すデータを外部出力部２４から出力し、外部出力部２４に接続された図示しないテレビジョン装置に指定画面を出力させる（Ｓ３２）。
【００７６】
図８は、起動するドライブ部の指定を受け付けるための指定画面の例を示す模式図である。起動するドライブ部の指定を使用者に促す文面とブルーレイディスク、ＤＶＤ及びハードディスクの夫々を示すアイコンとが出力される。使用者がリモコン装置４０を操作することによって、ブルーレイディスク、ＤＶＤ又はハードディスクのいずれかを示すアイコンをカーソルで選択することができる。ブルーレイディスク、ＤＶＤ又はハードディスクのいずれかのアイコンが選択された状態でリモコン装置４０の決定ボタンが押下される等の操作により、録画装置１はリモコン受光部７で起動するドライブ部の指定を受け付けることができる。
【００７７】
制御部２０は、次に、リモコン受光部７での起動するドライブ部の指定の受付を監視する（Ｓ３３）。起動するドライブ部の指定の受付がない場合は（Ｓ３３：ＮＯ）、制御部２０は、起動するドライブ部の指定の受付の監視を続行する。起動するドライブ部の指定をリモコン受光部７で受け付けた場合は（Ｓ３３：ＹＥＳ）、制御部２０は、ＨＤドライブ部１７、ＢＤドライブ部１８及びＤＶＤドライブ部１９の内、指定されたドライブ部を起動させる（Ｓ３４）。制御部２０は、次に、第１表示部４、液晶表示部５又は第２表示部６に、起動したドライブ部が起動していることを表示させる（Ｓ３５）。以上で制御部２０は始動時の処理を終了し、テレビジョン番組の録画等の処理を開始する。
【００７８】
以上の如く、本実施の形態においては、起動すべきドライブ部の指定を使用者から受け付け、指定されたドライブ部のみを起動する。従って、使用者が必要とするドライブ部のみを起動させるので、録画装置１の消費電力を削減することができる。また不必要なドライブ部を起動させないので、始動時に録画装置１が使用可能になるまでに要する時間を短縮することが可能となる。また起動したドライブ部が起動していることを表示するので、使用者は、いずれのドライブ部が起動しているかを容易に確認することができる。
【００７９】
なお本実施の形態においては、ＨＤドライブ部１７、ＢＤドライブ部１８及びＤＶＤドライブ部１９の内、起動するドライブ部としていずれか一つの指定を受け付ける形態を示したが、これに限るものではなく、起動するドライブ部としていずれか二つ又は全てのドライブ部の指定を受け付ける形態であってもよい。
【００８０】
（実施の形態４）
実施の形態４に係る録画装置１は、始動時に使用者に指定された順番で各ドライブ部を起動する処理を行う。本実施の形態に係る録画装置１の外観及び内部構成は図１〜図３に示した実施の形態１と同様であり、その説明を省略する。図９は、実施の形態４に係る録画装置１が始動時に行う処理の手順を示すフローチャートである。制御部２０は、ＲＯＭ３１が記憶しているプログラムに従って以下の処理を実行する。
【００８１】
使用者が電源ボタン８ａを押下するか、又は使用者が操作するリモコン装置４０から送信された通電開始を指示する信号をリモコン受光部７が受信することにより、録画装置１は、外部の商用電源に接続された図示しない電源部より録画装置１内の各部へ通電を開始する（Ｓ４１）。制御部２０は、次に、ＨＤドライブ部１７、ＢＤドライブ部１８及びＤＶＤドライブ部１９の各ドライブ部を起動する順番の指定を使用者から受け付けるために必要な指定画面を示すデータを外部出力部２４から出力し、外部出力部２４に接続された図示しないテレビジョン装置に指定画面を出力させる（Ｓ４２）。
【００８２】
図１０は、各ドライブ部を起動する順番の指定を受け付けるための指定画面の例を示す模式図である。各ドライブ部を起動する順番の指定を使用者に促す文面とブルーレイディスク、ＤＶＤ及びハードディスクの夫々を示すアイコンとが出力される。使用者がリモコン装置４０を操作することによって、ブルーレイディスク、ＤＶＤ及びハードディスクの夫々を示すアイコンをカーソルで任意の順に選択することができる。ブルーレイディスク、ＤＶＤ及びハードディスクの夫々のアイコンが任意の順に選択された状態でリモコン装置４０の決定ボタンが押下される等の操作により、録画装置１はリモコン受光部７で各ドライブ部を起動する順番の指定を受け付けることができる。
【００８３】
制御部２０は、次に、リモコン受光部７での各ドライブ部を起動する順番の指定の受付を監視する（Ｓ４３）。各ドライブ部を起動する順番の指定の受付がない場合は（Ｓ４３：ＮＯ）、制御部２０は、各ドライブ部を起動する順番の指定の受付の監視を続行する。各ドライブ部を起動する順番の指定をリモコン受光部７で受け付けた場合は（Ｓ４３：ＹＥＳ）、制御部２０は、ＨＤドライブ部１７、ＢＤドライブ部１８及びＤＶＤドライブ部１９の各ドライブ部を指定された順番で起動させる（Ｓ４４）。以上で制御部２０は始動時の処理を終了し、テレビジョン番組の録画等の処理を開始する。
【００８４】
以上の如く、本実施の形態においては、各ドライブ部を起動する順番の指定を使用者から受け付け、指定された順番で各ドライブ部を起動する。使用者が当面必要とするドライブ部が最初に起動するように指定することによって、全てのドライブ部が起動する前に必要なドライブ部が使用可能になるので、始動時に録画装置１が使用可能になるまでに要する時間を短縮することが可能となる。
【００８５】
（実施の形態５）
実施の形態５に係る録画装置１は、始動時に起動するドライブ部を予め設定しておき、始動時に設定に従った処理を行う。本実施の形態に係る録画装置１の外観は図１及び図２に示した実施の形態１と同様であり、その説明を省略する。
【００８６】
図１１は、実施の形態５に係る録画装置１の主要な内部構成を示すブロック図である。制御部２０には、不揮発性の半導体メモリである設定記憶部（記憶手段）３５が接続されている。録画装置１は、始動時に起動すべきドライブ部の指定を使用者の操作により受け付け、設定記憶部３５は、始動時に起動すべく指定を受け付けたドライブ部を示す設定情報を記憶する構成となっている。設定記憶部３５は、録画装置１に通電がなされていない状態であっても設定情報を記憶し続けている。録画装置１のその他の内部構成は実施の形態１と同様であり、対応する部分に同符号を付してその説明を省略する。
【００８７】
図１２は、実施の形態５に係る録画装置１が設定情報を受け付ける処理の手順を示すフローチャートである。制御部２０は、ＲＯＭ３１が記憶しているプログラムに従って以下の処理を実行する。
【００８８】
制御部２０は、使用者が操作部８を操作するか、又は使用者が操作するリモコン装置４０から送信された信号をリモコン受光部７が受信することによる、設定指示の受付を監視している（Ｓ５１１）。設定指示の受付がない場合は（Ｓ５１１：ＮＯ）、制御部２０は設定指示の受付の監視を続行する。設定指示を受け付けた場合は（Ｓ５１１：ＹＥＳ）、制御部２０は、始動時に起動するドライブ部の指定を使用者から受け付けるために必要な指定画面を示すデータを外部出力部２４から出力し、外部出力部２４に接続された図示しないテレビジョン装置に指定画面を出力させる（Ｓ５１２）。指定画面は、例えば図８に示す如き画面であり、使用者が操作するリモコン装置４からの信号をリモコン受光部７が受信することにより、始動時に起動するドライブ部の指定を受け付けることができる。
【００８９】
制御部２０は、次に、リモコン受光部７での始動時に起動するドライブ部の指定の受付を監視する（Ｓ５１３）。ドライブ部の指定の受付がない場合は（Ｓ５１３：ＮＯ）、制御部２０は、ドライブ部の指定の受付の監視を続行する。始動時に起動するドライブ部の指定をリモコン受光部７で受け付けた場合は（Ｓ５１３：ＹＥＳ）、制御部２０は、指定されたドライブ部を示す設定情報を設定記憶部３５に記憶させ（Ｓ５１４）、処理を終了する。
【００９０】
図１３は、実施の形態５に係る録画装置１が始動時に行う処理の手順を示すフローチャートである。制御部２０は、ＲＯＭ３１が記憶しているプログラムに従って以下の処理を実行する。
【００９１】
使用者が電源ボタン８ａを押下するか、又は使用者が操作するリモコン装置４０から送信された通電開始を指示する信号をリモコン受光部７が受信することにより、録画装置１は、外部の商用電源に接続された図示しない電源部より録画装置１内の各部へ通電を開始する（Ｓ５２１）。制御部２０は、次に、設定記憶部３５から設定情報を読み出し（Ｓ５２２）、制御部２０は、ＨＤドライブ部１７、ＢＤドライブ部１８及びＤＶＤドライブ部１９の内、読み出した設定情報が示すドライブ部を起動させる（Ｓ５２３）。制御部２０は、次に、第１表示部４、液晶表示部５又は第２表示部６に、起動したドライブ部が起動していることを表示する（Ｓ５２４）。以上で制御部２０は始動時の処理を終了し、テレビジョン番組の録画等の処理を開始する。
【００９２】
以上の如く、本実施の形態においては、始動時に起動すべきドライブ部の指定を使用者から予め受け付け、指定されたドライブ部を示す情報を記憶しておき、始動時には記憶している情報が示すドライブ部のみを起動する。従って、使用者が予め指定しているドライブ部のみを起動させるので、録画装置１の消費電力を削減することができる。また使用者の指定を始動時に受け付けることなく、予め指定されているドライブ部を起動させるので、始動時に録画装置１が使用可能になるまでに要する時間をより短縮することが可能となる。また起動したドライブ部が起動していることを表示するので、使用者は、いずれのドライブ部が起動しているかを容易に確認することができる。
【００９３】
（実施の形態６）
実施の形態６に係る録画装置１は、各ドライブ部を始動時に起動する順番を予め設定しておき、始動時に設定に従った処理を行う。本実施の形態に係る録画装置１の外観は図１及び図２に示した実施の形態１と同様であり、その説明を省略する。本実施の形態に係る録画装置１の内部構成は、図１１に示した実施の形態５とほぼ同様である。但し、録画装置１は、各ドライブ部を始動時に起動する順番の指定を使用者の操作により受け付け、設定記憶部３５は、各ドライブ部を始動時に起動する順番を示す設定情報を記憶する構成となっている。
【００９４】
図１４は、実施の形態６に係る録画装置１が設定情報を受け付ける処理の手順を示すフローチャートである。制御部２０は、ＲＯＭ３１が記憶しているプログラムに従って以下の処理を実行する。
【００９５】
制御部２０は、使用者が操作部８を操作するか、又は使用者が操作するリモコン装置４０から送信された信号をリモコン受光部７が受信することによる、設定指示の受付を監視している（Ｓ６１１）。設定指示の受付がない場合は（Ｓ６１１：ＮＯ）、制御部２０は設定指示の受付の監視を続行する。設定指示を受け付けた場合は（Ｓ６１１：ＹＥＳ）、制御部２０は、ＨＤドライブ部１７、ＢＤドライブ部１８及びＤＶＤドライブ部１９の各ドライブ部を始動時に起動する順番の指定を使用者から受け付けるために必要な指定画面を示すデータを外部出力部２４から出力し、外部出力部２４に接続された図示しないテレビジョン装置に指定画面を出力させる（Ｓ６１２）。指定画面は、例えば図１０に示す如き画面であり、使用者が操作するリモコン装置４からの信号をリモコン受光部７が受信することにより、各ドライブ部を始動時に起動する順番の指定を受け付けることができる。
【００９６】
制御部２０は、次に、ドライブ部を通電開始に起動する順番の受付を監視する（Ｓ６１３）。各ドライブ部を起動する順番の指定の受付がない場合は（Ｓ６１３：ＮＯ）、制御部２０は、各ドライブ部を起動する順番の受付の監視を続行する。各ドライブ部を始動時に起動する順番の指定をリモコン受光部７で受け付けた場合は（Ｓ６１３：ＹＥＳ）、制御部２０は、指定されたドライブ部を示す設定情報を設定記憶部３５に記憶させ（Ｓ６１４）、処理を終了する。
【００９７】
図１５は、実施の形態６に係る録画装置１が始動時に行う処理の手順を示すフローチャートである。制御部２０は、ＲＯＭ３１が記憶しているプログラムに従って以下の処理を実行する。
【００９８】
使用者が電源ボタン８ａを押下するか、又は使用者が操作するリモコン装置４０から送信された通電開始を指示する信号をリモコン受光部７が受信することにより、録画装置１は、外部の商用電源に接続された図示しない電源部より録画装置１内の各部へ通電を開始する（Ｓ６２１）。制御部２０は、次に、設定記憶部３５から設定情報を読み出し（Ｓ６２２）、読み出した設定情報が示す順番で、制御部２０は、ＨＤドライブ部１７、ＢＤドライブ部１８及びＤＶＤドライブ部１９の各ドライブ部を起動させる（Ｓ６２３）。以上で制御部２０は始動時の処理を終了し、テレビジョン番組の録画等の処理を開始する。
【００９９】
以上の如く、本実施の形態においては、各ドライブ部を始動時に起動する順番の指定を使用者から予め受け付け、指定された順番を示す情報を記憶しておき、始動時には記憶している情報が示す順番で各ドライブ部を起動する。使用者が当面必要とするドライブ部が最初に起動するように設定しておくことによって、全てのドライブ部が起動する前に必要なドライブ部が使用可能になるので、始動時に録画装置１が使用可能になるまでに要する時間を短縮することが可能となる。
【０１００】
（実施の形態７）
実施の形態７に係る録画装置１は、使用頻度の高いドライブ部を始動時に起動する処理を行う。本実施の形態に係る録画装置１の外観は図１及び図２に示した実施の形態１と同様であり、その説明を省略する。本実施の形態に係る録画装置１の内部構成は、図５に示した実施の形態２と同様であり、その説明を省略する。
【０１０１】
状態記憶部３４は、ＨＤドライブ部１７、ＢＤドライブ部１８及びＤＶＤドライブ部１９の各ドライブ部が使用された頻度を示す情報を記憶する構成となっている。制御部２０は、ＨＤドライブ部１７、ＢＤドライブ部１８及びＤＶＤドライブ部１９のいずれかのドライブ部が、テレビジョン番組の録画又は再生等で使用される都度、状態記憶部３４が記憶する情報が示す各ドライブ部の使用頻度を追加する処理を行う。状態記憶部３４は、制御部２０に記憶させられた情報を一週間又は一ヶ月間等の所定期間記憶する構成となっている。即ち、状態記憶部３４は、一週間又は一ヶ月間等の所定期間内において各ドライブ部が使用された頻度を示す情報を記憶している。
【０１０２】
図１６は、実施の形態７に係る録画装置１が始動時に行う処理の手順を示すフローチャートである。制御部２０は、ＲＯＭ３１が記憶しているプログラムに従って以下の処理を実行する。
【０１０３】
使用者が電源ボタン８ａを押下するか、又は使用者が操作するリモコン装置４０から送信された通電開始を指示する信号をリモコン受光部７が受信することにより、録画装置１は、外部の商用電源に接続された図示しない電源部より録画装置１内の各部へ通電を開始する（Ｓ７１）。制御部２０は、次に、状態記憶部３４が記憶している情報を状態記憶部３４から読み出す（Ｓ７２）。制御部２０は、次に、ＨＤドライブ部１７、ＢＤドライブ部１８及びＤＶＤドライブ部１９の各ドライブ部の所定期間内の使用頻度を示す読み出した情報に基づいて、使用頻度が最大であるドライブ部を特定する（Ｓ７３）。制御部２０は、次に、ＨＤドライブ部１７、ＢＤドライブ部１８及びＤＶＤドライブ部１９の内、使用頻度が最大であると特定したドライブ部を起動させ（Ｓ７４）、第１表示部４、液晶表示部５又は第２表示部６に、起動したドライブ部が起動していることを表示させる（Ｓ７５）。以上で制御部２０は始動時の処理を終了し、テレビジョン番組の録画等の処理を開始する。
【０１０４】
以上の如く、本実施の形態においては、所定期間内における各ドライブ部の使用頻度を記憶しておき、始動時には使用頻度が最大であるドライブ部のみを起動する。過去の使用頻度が高いドライブ部は次に使用者が録画装置１を使用する際にも使用される可能性が高いので、始動時に録画装置１が使用可能になるまでに要する時間を短縮することができる。また使用される可能性が高いドライブ部のみを起動させるので、録画装置１の消費電力を削減することができる。また起動したドライブ部が起動していることを表示するので、使用者は、いずれのドライブ部が起動しているかを容易に確認することができる。
【０１０５】
なお本実施の形態においては、録画装置１は、始動時に過去の使用頻度が最大であるドライブ部のみを起動する形態を示したが、これに限るものではなく、使用頻度が所定の値以上である一又は複数のドライブ部を起動させる等、使用頻度に応じたその他の方法で選択したドライブ部を起動する形態であってもよい。
【０１０６】
（実施の形態８）
実施の形態８に係る録画装置１は、最後に動作したドライブ部を始動時に起動する処理を行う。本実施の形態に係る録画装置１の外観は図１及び図２に示した実施の形態１と同様であり、その説明を省略する。本実施の形態に係る録画装置１の内部構成は、図５に示した実施の形態２と同様であり、その説明を省略する。
【０１０７】
状態記憶部３４は、ＨＤドライブ部１７、ＢＤドライブ部１８及びＤＶＤドライブ部１９の内、最後に動作したドライブ部を示す情報を記憶している。制御部２０は、ＨＤドライブ部１７、ＢＤドライブ部１８及びＤＶＤドライブ部１９のいずれかのドライブ部が、テレビジョン番組の録画又は再生等で使用される都度、状態記憶部３４が記憶している情報を、新たに使用されたドライブ部を示す情報に書き換える処理を行う。例えば、録画装置１がテレビジョン番組の録画をＨＤドライブ部１７を用いて行った場合はＨＤドライブ部１７を示す情報を状態記憶部３４が記憶し、次にハードディスクからＢＤへのダビングを録画装置１を行った場合は、改めてＨＤドライブ部１７及びＢＤドライブ部１８を示す情報を状態記憶部３４が記憶する。
【０１０８】
図１７は、実施の形態８に係る録画装置１が始動時に行う処理の手順を示すフローチャートである。制御部２０は、ＲＯＭ３１が記憶しているプログラムに従って以下の処理を実行する。
【０１０９】
使用者が電源ボタン８ａを押下するか、又は使用者が操作するリモコン装置４０から送信された通電開始を指示する信号をリモコン受光部７が受信することにより、録画装置１は、外部の商用電源に接続された図示しない電源部より録画装置１内の各部へ通電を開始する（Ｓ８１）。制御部２０は、次に、状態記憶部３４が記憶している情報を状態記憶部３４から読み出す（Ｓ８２）。制御部２０は、次に、ＨＤドライブ部１７、ＢＤドライブ部１８及びＤＶＤドライブ部１９の内、最後に動作したドライブ部を示す読み出した情報に基づいて、最後に動作したドライブ部を特定する（Ｓ８３）。制御部２０は、次に、ＨＤドライブ部１７、ＢＤドライブ部１８及びＤＶＤドライブ部１９の内、最後に動作したと特定したドライブ部を起動させ（Ｓ８４）、第１表示部４、液晶表示部５又は第２表示部６に、起動したドライブ部が起動していることを表示させる（Ｓ８５）。以上で制御部２０は始動時の処理を終了し、テレビジョン番組の録画等の処理を開始する。
【０１１０】
以上の如く、本実施の形態においては、最後に動作したドライブ部を示す情報を記憶しておき、始動時には最後に動作したドライブ部のみを起動する。最後に使用したドライブ部は、内容を途中まで再生した光ディスクを内部に収納してある等、次に使用者が録画装置１を使用する際に最初に使用される可能性が高いので、始動時に録画装置１が使用可能になるまでに要する時間を短縮することができる。また使用される可能性が高いドライブ部のみを起動させるので、録画装置１の消費電力を削減することができる。また起動したドライブ部が起動していることを表示するので、使用者は、いずれのドライブ部が起動しているかを容易に確認することができる。
【０１１１】
（実施の形態９）
実施の形態９に係る録画装置１は、複数のドライブ部の内、ＨＤドライブ部１７を優先的に起動する処理を行う。本実施の形態に係る録画装置１の外観及び内部構成は図１〜図３に示した実施の形態１と同様であり、その説明を省略する。ＨＤドライブ部１７は本発明に係るＨＤデータ処理部であり、ＢＤドライブ部１８及びＤＶＤドライブ部１９は本発明に係るデータ処理部である。
【０１１２】
図１８は、実施の形態９に係る録画装置１が始動時に行う処理の手順を示すフローチャートである。制御部２０は、ＲＯＭ３１が記憶しているプログラムに従って以下の処理を実行する。
【０１１３】
使用者が電源ボタン８ａを押下するか、又は使用者が操作するリモコン装置４０から送信された通電開始を指示する信号をリモコン受光部７が受信することにより、録画装置１は、外部の商用電源に接続された図示しない電源部より録画装置１内の各部へ通電を開始する（Ｓ９１）。制御部２０は、ＨＤドライブ部１７を起動させる（Ｓ９２）。制御部２０は、液晶表示部５に、ＨＤドライブ部１７が起動していることを表示させる（Ｓ９３）。
【０１１４】
制御部２０は、次に、使用者が操作部８を操作するか、又は使用者が操作するリモコン装置４０から送信された所定の信号をリモコン受光部７が受信することにより、ハードディスクＨＤからＢＤ又はＤＶＤへのダビング等、ＢＤドライブ部１８又はＤＶＤドライブ部１９が行うデータ処理の開始指示の受付を監視する（Ｓ９４）。開始指示の受付がない場合は（Ｓ９４：ＮＯ）、制御部２０は処理を終了する。ＢＤドライブ部１８又はＤＶＤドライブ部１９が行うデータ処理の開始指示を受け付けた場合は（Ｓ９４：ＹＥＳ）、制御部２０は、開始指示を受け付けたデータ処理に係るドライブ部を起動させる（Ｓ９５）。制御部２０は、次に、第１表示部４又は第２表示部６に、起動したドライブ部が起動していることを表示させる（Ｓ９６）。以上で制御部２０は始動時の処理を終了し、テレビジョン番組の録画又はダビング等の処理を開始する。
【０１１５】
以上の如く、本実施の形態においては、始動時にＨＤドライブ部１７を優先的に起動し、ＢＤドライブ部１８及びＤＶＤドライブ部１９については、ハードディスクＨＤからＢＤ又はＤＶＤへのダビング等、ＢＤドライブ部１８及びＤＶＤドライブ部１９が行うデータ処理の開始指示を受け付けた場合に起動する。ＨＤドライブ部１７は、内部にハードディスクを内蔵してあって記録媒体の交換が不必要であり、またＢＤに比較しても記憶容量が大きいので、長時間のテレビジョン番組をとりあえず録画する場合には最も利用しやすいドライブ部である。従って、最も利用しやすいＨＤドライブ部１７を優先的に起動することにより、始動時に録画装置１が使用可能になるまでに要する時間を短縮することができる。また必要にならない限り他のドライブ部を起動しないので、録画装置１の消費電力を削減することができる。また起動したドライブ部が起動していることを表示するので、使用者は、いずれのドライブ部が起動しているかを容易に確認することができる。
【０１１６】
なお、以上の実施の形態１〜９においては、本発明のデータ処理装置である録画装置１は、本発明に係る一のデータ処理部として、記録媒体としてＢＤを用いることができるＢＤドライブ部１８を備える形態を示したが、ＢＤに限ることなく、一般的に片面の記録容量が８．６ギガバイト以上の光ディスクを記録媒体として用いることができるデータ処理部を備えた形態でもよい。記録容量が８．６ギガバイト以上である大容量の光ディスクを記録媒体として用いることによって、高画質の番組を長時間にわたって記録することが可能となる。
【０１１７】
なお、以上の実施の形態１〜９においては、本発明のデータ処理装置である録画装置１は、本発明に係るデータ処理部としてＨＤドライブ部１７、ＢＤドライブ部１８及びＤＶＤドライブ部１９の３種類のデータ処理部を備える形態を示したが、これに限るものではなく、磁気テープを記録媒体としたデータ処理部等、その他の形態のデータ処理部を備えた形態であってもよい。また本発明のデータ処理装置が備えるデータ処理部の数は３種類に限るものではなく、同一種類のデータ処理部を複数備えた形態でもよく、２種類のデータ処理部を備えた形態又は４種類以上のデータ処理部を備えた形態であってもよい。
【０１１８】
また本発明のデータ処理装置は、以上の実施の形態１〜９で説明した機能の内の複数の機能を実現可能な構成とし、設定によっていずれかの機能を選択できる形態であってもよい。
【図面の簡単な説明】
【０１１９】
【図１】本発明のデータ処理装置である録画装置を示す斜視図である。
【図２】パネル部３を開放した録画装置を示す斜視図である。
【図３】実施の形態１に係る録画装置の主要な内部構成を示すブロック図である。
【図４】実施の形態１に係る録画装置が始動時に行う処理の手順を示すフローチャートである。
【図５】実施の形態２に係る録画装置の主要な内部構成を示すブロック図である。
【図６】実施の形態２に係る録画装置が始動時に行う処理の手順を示すフローチャートである。
【図７】実施の形態３に係る録画装置が始動時に行う処理の手順を示すフローチャートである。
【図８】起動するドライブ部の指定を受け付けるための指定画面の例を示す模式図である。
【図９】実施の形態４に係る録画装置が始動時に行う処理の手順を示すフローチャートである。
【図１０】各ドライブ部を起動する順番の指定を受け付けるための指定画面の例を示す模式図である。
【図１１】実施の形態５に係る録画装置の主要な内部構成を示すブロック図である。
【図１２】実施の形態５に係る録画装置が設定情報を受け付ける処理の手順を示すフローチャートである。
【図１３】実施の形態５に係る録画装置が始動時に行う処理の手順を示すフローチャートである。
【図１４】実施の形態６に係る録画装置が設定情報を受け付ける処理の手順を示すフローチャートである。
【図１５】実施の形態６に係る録画装置が始動時に行う処理の手順を示すフローチャートである。
【図１６】実施の形態７に係る録画装置が始動時に行う処理の手順を示すフローチャートである。
【図１７】実施の形態８に係る録画装置が始動時に行う処理の手順を示すフローチャートである。
【図１８】実施の形態９に係る録画装置が始動時に行う処理の手順を示すフローチャートである。
【符号の説明】
【０１２０】
１  録画装置（データ処理装置）
１１  ＢＤ用トレイ（受入部）
１２  ＤＶＤ用トレイ（受入部）
１７  ＨＤドライブ部（データ処理部、ＨＤデータ処理部）
１８  ＢＤドライブ部（データ処理部）
１９  ＤＶＤドライブ部（データ処理部）
２０  制御部
３１  ＲＯＭ
３４  状態記憶部（記憶手段）
３５  設定記憶部（記憶手段）
４  第１表示部（表示手段）
５  液晶表示部（表示手段）
６  第２表示部（表示手段）
７  リモコン受光部
８  操作部
【図１】
2006164334.tif 000003
【図２】
2006164334.tif 000004
【図３】
2006164334.tif 000005
【図４】
2006164334.tif 000006
【図５】
2006164334.tif 000007
【図６】
2006164334.tif 000008
【図７】
2006164334.tif 000009
【図８】
2006164334.tif 000010
【図９】
2006164334.tif 000011
【図１０】
2006164334.tif 000012
【図１１】
2006164334.tif 000013
【図１２】
2006164334.tif 000014
【図１３】
2006164334.tif 000015
【図１４】
2006164334.tif 000016
【図１５】
2006164334.tif 000017
【図１６】
2006164334.tif 000018
【図１７】
2006164334.tif 000019
【図１８】
2006164334.tif 000020